【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
車両に搭載される表示装置の画面に表示領域として設定される複数のエリアに対し、表示対象となっているコンテントを割り当てて表示する表示制御装置であって、
前記コンテントと前記コンテントの有する価値である情報価値を含むコンテント情報とを対応付け前記コンテントを管理するコンテント管理部と、
前記エリアの属性であるエリア情報を対応付け前記エリアを管理するエリア管理部と、
前記情報価値の大きなコンテントから順にコンテントを並べたコンテントリストを作成し、当該コンテントリストの順に、前記コンテント情報及び前記エリア情報に基づいて、前記コンテントと前記エリアとの組合せを決定するコンテント割当制御部と、
を備えていることを特徴とする表示制御装置。
【請求項２】
請求項１に記載の表示制御装置において、
前記エリア情報は、前記エリアの有する価値である領域価値を含んでおり、
前記コンテント割当制御部は、前記情報価値と前記領域価値とを比較し、前記情報価値が前記領域価値を上回っている場合に、前記コンテントを前記エリアに割り当て可能と判断すること
を特徴とする表示制御装置。
【請求項３】
請求項２に記載の表示制御装置において、
前記コンテント割当制御部は、前記エリアのうちで前記領域価値の最も大きなエリアから順に前記コンテントを割り当てること
を特徴とする表示制御装置。
【請求項４】
請求項１に記載の表示制御装置において、
前記コンテント割当制御部は、前記コンテント情報と前記エリア情報とから算出される評価値に基づき、前記コンテントと前記エリアとの組合せを決定すること
を特徴とする表示制御装置。
【請求項５】
請求項４に記載の表示制御装置において、
前記コンテント情報は、表示対象者毎の情報の価値を示すコンテント価値を含み、
前記エリア情報は、前記表示対象者毎の場所的な適正度を示すエリア適性度を含んでおり、
前記コンテント割当制御部は、前記コンテント価値と前記エリア適性度とに基づき算出される対象者評価値に基づき、前記コンテントと前記エリアとの組合せを決定すること
を特徴とする表示制御装置。
【請求項６】
請求項５に記載の表示制御装置において、
前記コンテント割当制御部は、前記コンテント価値の大きなコンテントから順にコンテントを並べたコンテントリストを作成すること
を特徴とする表示制御装置。
【請求項７】
請求項５又は６に記載の表示制御装置において、
前記コンテント情報は、コンテントの特性を示すコンテント特性を含み、
前記エリア情報は、前記エリアの特性を示すエリア特性を含んでおり、
前記コンテント割当制御部は、前記コンテント特性と前記エリア特性とに基づき算出される特性評価値に基づき、前記コンテントと前記エリアとの組合せを決定すること
を特徴とする表示制御装置。
【請求項８】
請求項７に記載の表示制御装置において、
前記コンテント特性には、運転者の視線の動きが問われるか否かを示す視線特性が含まれ、
前記エリア特性には、運転者の視線の動きが大きくなるか否かを示す視線特性が含まれること
を特徴とする表示制御装置。
【請求項９】
請求項７又は８に記載の表示制御装置において、
前記コンテント特性には、表現力が必要となるか否かを示す表現力特性が含まれ、
前記エリア特性には、表現力が大きいか否かを示す表現力特性が含まれること
を特徴とする表示制御装置。
【請求項１０】
請求項７〜９の何れか一項に記載の表示制御装置において、
前記コンテント特性には、操作が必要となるか否かを示す操作特性が含まれ、
前記エリア特性には、操作が可能か否かを示す操作特性が含まれること
を特徴とする表示制御装置。
【請求項１１】
請求項７〜１０の何れか一項に記載の表示制御装置において、
前記コンテント特性及び前記エリア特性から前記特性評価値を導出するための対応情報を記憶する対応情報記憶部を備え、
前記コンテント割当制御部は、前記対応情報記憶部に記憶された前記対応情報に基づき、前記コンテント特性及び前記エリア特性から前記特性評価値を導出すること
を特徴とする表示制御装置。
【請求項１２】
請求項１１に記載の表示制御装置において、
前記対応情報記憶部の前記対応情報は、車両状況に基づき、変更可能であること
を特徴とする表示制御装置。
【請求項１３】
請求項１〜１２の何れか一項に記載の表示制御装置において、
前記コンテント情報は、情報表示に要するサイズであるコンテントサイズを含み、
前記エリア情報は、前記エリアのサイズであるエリアサイズを含んでおり、
前記コンテント割当制御部は、前記エリアサイズと前記コンテントサイズとを比較し、前記コンテントが前記エリアに収まるように前記コンテントと前記エリアとの組合せを決定すること
を特徴とする表示制御装置。
【請求項１４】
請求項１に記載の表示制御装置において、
前記コンテント情報は、情報表示に要するサイズであるコンテントサイズを含み、
前記エリア情報は、前記エリアのサイズであるエリアサイズを含んでおり、
前記コンテント割当制御部は、前記コンテントサイズに最も近いエリアサイズのエリアに前記コンテントが収まるよう、前記コンテントと前記エリアとの組合せを決定すること
を特徴とする表示制御装置。
【請求項１５】
請求項１〜１４の何れか一項に記載の表示制御装置において、
前記コンテントの必須排他関係を規定するコンテント表示情報を記憶するコンテント表示情報記憶部を備え、
前記コンテント割当制御部は、前記コンテント表示情報記憶部に記憶されたコンテント表示情報に基づき、前記コンテントと前記エリアとの組合せを決定すること
を特徴とする表示制御装置。
【請求項１６】
請求項１５に記載の表示制御装置において、
前記コンテント表示情報は、所定の演算子にて示されるコンテントの必須排他関係を示す必須排他制約式であり、
前記コンテント割当制御部は、前記必須排他制約式を満たすように、前記コンテントと前記エリアとの組合せを決定すること
を特徴とする表示制御装置。
【請求項１７】
請求項１〜１６の何れか一項に記載の表示制御装置において、
前記エリアの必須排他関係を規定するエリア使用情報を記憶するためのエリア使用情報記憶部を備え、
前記コンテント割当制御部は、前記エリア使用情報記憶部に記憶されたエリア使用情報に基づき、前記コンテントと前記エリアとの組合せを決定すること
を特徴とする表示制御装置。
【請求項１８】
請求項１７に記載の表示制御装置において、
前記エリア使用情報は、所定の演算子にて示されるエリアの必須排他関係を示す必須排他制約式であり、
前記コンテント割当制御部は、前記必須排他制約式を満たすように、前記コンテントと前記エリアとの組合せを決定すること
を特徴とする表示制御装置。
【請求項１９】
請求項１〜１８の何れか一項に記載の表示制御装置において、
前記エリア管理部は、所定のエリアを、単一のエリアとして管理可能であると共に、当該エリアを分割した複数のエリアとしても管理可能であって、前記単一エリアの下位層に前記複数のエリアが位置する階層データ構造を有しており、
前記コンテント割当制御部は、前記階層データ構造に基づき、前記コンテントと前記エリアとの組合せを決定すること
を特徴とする表示制御装置。
【請求項２０】
請求項１〜１９の何れか一項に記載の表示制御装置において、
前記コンテント管理部は、車両状況に基づき、前記コンテント情報を変更可能であること
を特徴とする表示制御装置。
【請求項２１】
請求項１〜２０の何れか一項に記載の表示制御装置において、
前記エリア管理部は、車両状況に基づき、前記エリア情報を変更可能であること
を特徴とする表示制御装置。
【請求項２２】
請求項１〜２１の何れか一項に記載の表示制御装置において、
前記コンテント管理部は、前記コンテント毎に表示対象か否かを管理していること
を特徴とする表示制御装置。
【請求項２３】
請求項１〜２２の何れか一項に記載の表示制御装置において、
特定コンテントの特定エリアに対する割当情報を記憶する割当情報記憶部を備え、
前記コンテント割当制御部は、前記割当情報記憶部に記憶された前記割当情報に基づき、前記コンテントと前記エリアとの組合せを決定すること
を特徴とする表示制御装置。
【請求項２４】
請求項１〜２３の何れか一項に記載の表示制御装置において、
前記コンテント管理部は、前記コンテントを車両内のネットワークによって取得すること
を特徴とする表示制御装置。
【請求項２５】
請求項１〜２４の何れか一項に記載の表示制御装置において、
前記コンテント管理部は、新たに接続された外部機器から前記コンテントを取得可能であること
を特徴とする表示制御装置。
【請求項２６】
請求項１〜２５の何れか一項に記載の表示制御装置において、
前記エリア管理部は、複数台の表示装置に対し前記エリアを管理していること
を特徴とする表示制御装置。
【請求項２７】
請求項２６に記載の表示制御装置において、
前記エリア管理部は、前記表示装置の一部が着脱されると、管理するエリアを更新すること
を特徴とする表示制御装置。
【請求項２８】
車両に搭載される表示装置の画面に表示領域として設定される複数のエリアに対し、表示対象となっているコンテントを割り当てて表示する表示制御装置であって、
前記複数のコンテントのそれぞれには、前記コンテントの表示の優先度を表すコンテント評価値を含むコンテントパラメータが設定され、
前記複数のエリアのそれぞれには、前記コンテントの割当て優先度を表すエリア評価値を含むエリアパラメータが設定されており、
前記コンテントパラメータに基づき前記コンテントを前記エリアに割り当てる順番を決定し、当該順番に従って、前記コンテントパラメータと前記エリアパラメータとの関係に基づき、前記コンテントの表示が可能なエリアがあるか否かを判定し、当該判定に基づいて前記コンテントと前記エリアとの組み合わせを順次決定するコンテント割当制御部を備え、
前記コンテント割当制御部は、前記コンテントを前記エリアに割り当てる順番を決定する場合、前記コンテントパラメータに含まれる前記コンテント評価値の高い順に決定すること
を特徴とする表示制御装置。
【請求項２９】
請求項２８に記載の表示制御装置において、
前記コンテント割当制御部は、前記コンテントパラメータと前記エリアパラメータとの関係に基づき前記コンテントの表示が可能なエリアがあるか否かを判定する場合、前記コンテントパラメータに含まれる前記コンテント評価値と前記エリアパラメータに含まれる前記エリア評価値とを比較し、前記コンテント評価値が前記エリア評価値より大きい場合に、表示が可能なエリアがあると判定すること、
を特徴とする表示制御装置。
【請求項３０】
請求項２８又は２９に記載の表示制御装置において、
前記コンテントパラメータには、前記コンテントの表示内容の大きさを表すコンテントサイズが設定されており、
前記エリアパラメータには、前記エリアの表示領域の大きさを表すエリアサイズが設定されており、
前記コンテント割当制御部は、前記コンテントパラメータと前記エリアパラメータとの関係に基づき前記コンテントの表示が可能なエリアがあるか否かを判定する場合、前記コンテントパラメータに含まれる前記コンテントサイズと前記エリアパラメータに含まれる前記エリアサイズとを比較し、前記コンテントサイズが前記エリアサイズより小さい場合に、表示が可能なエリアがあると判定すること、
を特徴とする表示制御装置。
【請求項３１】
請求項２８〜３０の何れか一項に記載の表示制御装置において、
前記コンテント評価値は、車両状況に応じて変更されるようになっており、
前記コンテント割当制御部は、前記コンテント評価値が変更されると、前記コンテントを前記エリアに割り当てる前記順番を決定し直し、更に当該順番に変更があった場合には、前記コンテントパラメータと前記エリアパラメータとの関係に基づき、前記コンテントの表示が可能なエリアがあるか否かを判定し、当該判定に基づいて前記コンテントと前記エリアとの組み合わせを順次決定し直すこと
を特徴とする表示制御装置。
【請求項３２】
請求項２８〜３１の何れか一項に記載の表示制御装置において、
前記コンテント評価値及び前記エリア評価値は、車室内での表示対象となる表示対象者毎に設定されており、
前記コンテント割当制御部は、前記コンテント評価値及び前記エリア評価値に基づき、前記表示対象者毎の対象者評価値を含む評価値を算出し、当該評価値に基づいて前記コンテントと前記エリアとの組合せを決定すること
を特徴とする表示制御装置。
【請求項３３】
請求項２８〜３２の何れか一項に記載の表示制御装置において、
前記コンテントパラメータは、視線特性、表現力特性、および操作特性の少なくとも１つからなるコンテント特性を含んでおり、
前記エリアパラメータは、前記コンテント特性に対応するエリア特性を含んでおり、
前記コンテント割当制御部は、前記コンテント特性及び前記エリア特性に基づく特性評価値を含む評価値を算出し、当該評価値に基づいて前記コンテントと前記エリアとの組合せを決定すること
を特徴とする表示制御装置。
【請求項３４】
請求項２８〜３３の何れか一項に記載の表示制御装置において、
前記コンテント同士の表示ルールを規定する必須排他制約式が記憶されており、
前記コンテント割当制御部は、前記必須排他制約式に基づき、前記コンテントを前記エリアに割り当てる順番を決定すること
を特徴とする表示制御装置。
【請求項３５】
請求項３４に記載の表示制御装置において、
前記コンテント割当制御部は、前記必須排他制約式に関係する前記コンテントが最初に割り当てられるよう、前記コンテントを前記エリアに割り当てる順番を決定すること
を特徴とする表示制御装置。
【請求項３６】
請求項３４又は３５に記載の表示制御装置において、
前記コンテント割当制御部は、表示対象となっていないコンテントが前記必須排他制約式に含まれる場合、当該必須排他制約式を、表示対象となっているコンテントの制約式に書き換えること
を特徴とする表示制御装置。
【請求項３７】
表示装置の画面に表示領域として設定される複数のエリアに対し、表示対象であるコンテントを割り当てて表示する表示制御装置であって、
前記コンテントの属性であるコンテント情報を管理するコンテント管理部と、
前記エリアの属性であるエリア情報を管理するエリア管理部と、
前記コンテント管理部および前記エリア管理部からの前記各情報に基づいて前記コンテントの前記エリアに対する表示の価値を表すコンテント評価値および前記エリアに対する前記コンテントの割当ての適正度を表すエリアパラメータを評価し、かつこの評価結果に基づいて、前記コンテントと前記エリアとの組合せを決定するコンテント割当制御部と、
を備えることを特徴とする表示制御装置。
【請求項３８】
請求項３７に記載の表示制御装置において、
前記表示装置は、前記車両の車室における異なる部位において表示対象者毎に目視可能に設置されており、
前記コンテント割当制御部は、前記表示対象者毎の前記コンテントの前記コンテント評価値と前記表示対象者毎の前記エリアパラメータを表すエリア適正度とに基づいて前記コンテントと前記エリアとの組合せを決定すること
を特徴とする表示制御装置。
【請求項３９】
請求項３８に記載の表示制御装置において、
前記コンテント割当制御部は、前記表示対象者毎の前記コンテントの前記コンテント評価値と前記エリア適性度に基づいて、前記コンテントと前記エリアとの組合せ毎に算出される対象者評価値を比較して、前記対象者評価値の相対的に高い組合せを選択することにより、前記コンテントと前記エリアとの組合せを決定すること
を特徴とする表示制御装置。
【請求項４０】
請求項３７〜３９の何れか一項に記載の表示制御装置において、
前記コンテントは、視線特性、表現力特性、および操作特性の少なくとも１つから選択されたコンテント特性を有しており、
前記エリアは、前記コンテント特性に対応するエリア特性を有しており、
前記コンテント割当制御部は、前記コンテントの前記コンテント特性と前記エリアの前記エリア特性とに基づいて、前記コンテントと前記エリアとの組合せ毎に算出される特性評価値を比較して、前記特性評価値の相対的に高い組合せを選択することにより、前記コンテントと前記エリアとの組合せを決定すること
を特徴とする表示制御装置。
【請求項４１】
車両に搭載される表示装置の画面に表示領域として設定される複数のエリアに対し、表示対象となっているコンテントを割り当てて表示する表示制御装置であって、
前記コンテントと前記コンテントの重要度を示す情報価値を含むコンテント情報とを対応付けて管理するコンテント管理部と、
前記コンテントと前記コンテントを割り当て可能な少なくとも一つのエリアとの対応関係を管理する割当管理部と、
前記情報価値の大きなコンテントから順にコンテントを並べたコンテントリストを作成し、当該コンテントリストの順に、前記対応関係に基づいて前記コンテントと前記エリアとの組合せを決定するコンテント割当制御部と、
を備えていることを特徴とする表示制御装置。
【請求項４２】
請求項４１に記載の表示制御装置において
前記エリアと前記エリアの情報であるエリア情報とを対応付けて管理するエリア管理部を備え、
前記コンテント割当制御部は、前記対応関係を優先して前記コンテントと前記エリアとの組合せを決定した後、前記コンテント情報及び前記エリア情報に基づいて前記コンテントと前記エリアとの組合せを決定すること
を特徴とする表示制御装置。
【請求項４３】
請求項４１又は４２に記載の表示制御装置において、
前記エリアと前記エリアの有する価値である領域価値を含むエリア情報とを対応付けて管理するエリア管理部を備え、
前記コンテント割当制御部は、前記割当管理部が前記コンテントと前記コンテントを割り当て可能な複数のエリアとの対応関係を管理している場合、複数のエリアのうち前記領域価値の最も大きなエリアを前記コンテントに割り当てること
を特徴とする表示制御装置。
【請求項４４】
請求項４３に記載の表示制御装置において、
前記コンテント割当制御部は、前記対応関係を優先して前記コンテントと前記エリアとの組合せを決定した後、前記コンテント情報及び前記エリア情報に基づいて前記コンテントと前記エリアとの組合せを決定する際、前記エリアのうち前記領域価値の最も大きなエリアを前記コンテントを割り当てること
を特徴とする表示制御装置。
【請求項４５】
請求項４１〜４４の何れか一項に記載の表示制御装置において、
前記エリアと前記エリアの情報であるエリア情報とを対応付けて管理するエリア管理部を備え、
前記エリア管理部は、所定のエリアを単一のエリアとして管理可能であると共に、当該単一のエリアを分割した複数のエリアとしても管理可能であって、前記単一のエリアの下位層に前記複数のエリアが位置する階層データ構造を有しており、
前記コンテント割当制御部は、前記階層データ構造に基づき、前記コンテントと前記エリアとの組合せを決定すること
を特徴とする表示制御装置。
【手続補正２】
【補正対象書類名】明細書
【補正対象項目名】００１２
【補正方法】変更
【補正の内容】
【００１２】
つまり、本発明では、コンテント情報及びエリア情報に基づいてコンテントとエリアとの組合せを決定するのであるが、このとき、コンテントからコンテントリストを作成し、当該コンテントリストの順に、組合せを決定する。このようにすれば、コンテントリストの順に同一処理を繰り返すことでエリアとの組合せが決定され、組合せのルールもコンテント情報及びエリア情報に基づくものとなるため、自由度の高いコンテントの配置を実現することができる。
また、コンテント情報には、コンテントの有する価値である情報価値が含まれる。例えば、緊急性の高いコンテントであれば、情報価値が相対的に大きくなるという具合である。
このような前提の下、請求項１に示すように、コンテント割当制御部は、情報価値の大きなコンテントから順にコンテントを並べたコンテントリストを作成する。このようにすれば、情報価値の大きなコンテントから順に領域価値の大きなエリアへ割り当てられるため、コンテントを適切なエリアへ配置するという効果が際だつ。

【手続補正３】
【補正対象書類名】明細書
【補正対象項目名】００１３
【補正方法】変更
【補正の内容】
【００１３】
具体的には、請求項２に示すように、エリア情報には、エリアの有する価値である領域価値が含まれることが考えられる。例えば、ヘッドアップディスプレイといった走行中の視線移動が少ないエリアは、領域価値が相対的に大きくなるという具合である。このとき、コンテント割当制御部は、情報価値と領域価値とを比較し、情報価値が領域価値を上回っている場合に、コンテントをエリアに割り当て可能と判断する。このようにすれば、従来技術のように単に優先順位を用いる場合とは異なり、情報価値と領域価値とのバランスによってコンテントがエリアに割り当てられるため、ユーザにとって把握し易い情報表示を行うことができる。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
ところで、コンテント情報とエリア情報とから評価値を算出し、当該評価値に基づいてコンテントとエリアとの組合せを決定してもよい。
すなわち、請求項４に示すように、コンテント割当制御部は、コンテント情報とエリア情報とから算出される評価値に基づき、コンテントとエリアとの組合せを決定することとしてもよい。このようにすれば、従来技術のように単に優先順位を用いる場合とは異なり、コンテントとエリアとの組合せを評価することができ、より適切なエリアへコンテントを配置することができるため、ユーザにとって把握し易い情報表示を行うことができる。
【手続補正６】
【補正対象書類名】明細書
【補正対象項目名】００１７
【補正方法】変更
【補正の内容】
【００１７】
具体的には、請求項５に示すように、コンテント情報は、表示対象者毎の情報の価値を示すコンテント価値を含み、エリア情報は、表示対象者毎の場所的な適正度を示すエリア適性度を含んでおり、コンテント割当制御部は、コンテント価値とエリア適性度とに基づき算出される対象者評価値に基づき、コンテントとエリアとの組合せを決定することが考えられる。
【手続補正７】
【補正対象書類名】明細書
【補正対象項目名】００２０
【補正方法】変更
【補正の内容】
【００２０】
なお、コンテント割当制御部は、作成したコンテントリストの順に、コンテントとエリアとの組合せを決定する。そこで、請求項６に示すように、コンテント割当制御部は、コンテント価値の大きなコンテントから順にコンテントを並べたコンテントリストを作成することが好ましい。このようにすれば、コンテント価値の大きなコンテントから順にエリアとの組合せが決定されるため、コンテントを適切なエリアへ配置することができる。
【手続補正８】
【補正対象書類名】明細書
【補正対象項目名】００２１
【補正方法】変更
【補正の内容】
【００２１】
ところで、コンテントやエリアはそれぞれの特性を有することが考えられる。そこで請求項７に示すように、コンテント情報は、コンテントの特性を示すコンテント特性を含み、エリア情報は、エリアの特性を示すエリア特性を含んでおり、コンテント割当制御部は、コンテント特性とエリア特性とに基づき算出される特性評価値に基づき、コンテントとエリアとの組合せを決定することが考えられる。このようにすれば、コンテント及びエリアの特性を考慮してコンテントとエリアとの組合せが決定されるため、ユーザにとって把握し易い情報表示を行うことができる。
【手続補正９】
【補正対象書類名】明細書
【補正対象項目名】００２２
【補正方法】変更
【補正の内容】
【００２２】
具体的には、請求項８に示すように、コンテント特性には、運転者の視線の動きが問われるか否かを示す視線特性が含まれ、エリア特性には、運転者の視線の動きが大きくなるか否かを示す視線特性が含まれることとしてもよい。例えば「車速」のように運転時に頻繁に確認が必要となるようなコンテントは、運転者の視線の動きが問われるコンテントとなる。また例えば、ヘッドアップディスプレイのように走行中の視線移動が少ないエリアは、運転者の視線の動きが大きくならないエリアとなる。このようにすれば、運転者の視線の動きに関する特性評価値に基づきコンテントとエリアとの組合せを決定でき、ユーザにとって把握し易い情報表示を行うことができる。
【手続補正１０】
【補正対象書類名】明細書
【補正対象項目名】００２３
【補正方法】変更
【補正の内容】
【００２３】
また具体的には、請求項９に示すように、コンテント特性には、表現力が必要となるか否かを示す表現力特性が含まれ、エリア特性には、表現力が大きいか否かを示す表現力特性が含まれることとしてもよい。例えばナビゲーションのための「地図」のように情報量が多いコンテントは、表現力（解像度やカラー表示など）が必要となるコンテントとなる。また例えば、車両中央に設置されるカラー液晶表示装置のエリアは、表現力が大きなエリアとなる。このようにすれば、表現力に関する特性評価値に基づきコンテントとエリアとの組合せを決定でき、ユーザにとって把握し易い情報表示を行うことができる。
【手続補正１１】
【補正対象書類名】明細書
【補正対象項目名】００２４
【補正方法】変更
【補正の内容】
【００２４】
さらにまた具体的には、請求項１０に示すように、コンテント特性には、操作が必要となるか否かを示す操作特性が含まれ、エリア特性には、操作が可能か否かを示す操作特性が含まれることとしてもよい。例えば「オーディオ情報」のように楽曲の選択などが行われるコンテントは、操作が必要なコンテントとなる。また例えばタッチパネルが一体となった液晶表示装置のエリアは、操作が可能なエリアとなる。このようにすれば、操作性に関する特性評価値に基づきコンテントとエリアとの組合せを決定でき、ユーザにとって把握し易い情報表示を行うことができる。
【手続補正１２】
【補正対象書類名】明細書
【補正対象項目名】００２５
【補正方法】変更
【補正の内容】
【００２５】
なお、コンテント特性及びエリア特性から特性評価値を導出することが必要になる。そこで、請求項１１に示すように、コンテント特性及びエリア特性から特性評価値を導出するための対応情報を記憶する対応情報記憶部を備えることとしてもよい。この場合、コンテント割当制御部は、対応情報記憶部に記憶された対応情報に基づき、コンテント特性及びエリア特性から特性評価値を導出する。例えばコンテント特性及びエリア特性を段階的に表した数値情報とし、両特性値から特性評価値を導出するための適性度を求める適性度テーブルを対応情報として用意するという具合である。このようにすれば、コンテント特性及びエリア特性から比較的簡単に特性評価値を導出することができる。
【手続補正１３】
【補正対象書類名】明細書
【補正対象項目名】００２６
【補正方法】変更
【補正の内容】
【００２６】
このとき、請求項１２に示すように、対応情報記憶部の対応情報は、車両状況に基づき、変更可能であることとしてもよい。例えば、停車中と走行中とで特性評価値を導出するための対応情報を変更するという具合である。このようにすれば、より適切な特性評価値を導出することができる。
【手続補正１４】
【補正対象書類名】明細書
【補正対象項目名】００２８
【補正方法】変更
【補正の内容】
【００２８】
そこで、請求項１３に示すように、コンテント情報は、情報表示に要するサイズであるコンテントサイズを含み、エリア情報は、エリアのサイズであるエリアサイズを含んでおり、コンテント割当制御部は、エリアサイズとコンテントサイズとを比較し、コンテントがエリアに収まるようにコンテントとエリアとの組合せを決定することが好ましい。このようにすれば、コンテントをスクロールさせて表示したり、あるいは、コンテントを縮小させて表示したりする必要がなく、ユーザにとって把握し易い情報表示を行うことができる。
【手続補正１５】
【補正対象書類名】明細書
【補正対象項目名】００３０
【補正方法】変更
【補正の内容】
【００３０】
すなわち、請求項１４に示すように、コンテント情報は、情報表示に要するサイズであるコンテントサイズを含み、エリア情報は、エリアのサイズであるエリアサイズを含んでおり、コンテント割当制御部は、コンテントサイズに最も近いエリアサイズのエリアにコンテントが収まるよう、コンテントとエリアとの組合せを決定することが考えられる。このようにすれば、コンテントが縮小されたり、あるいは、コンテントの周りに余白部分が多くなったりすることがなく、ユーザにとって把握し易い情報表示を行うことができる。
【手続補正１６】
【補正対象書類名】明細書
【補正対象項目名】００３２
【補正方法】変更
【補正の内容】
【００３２】
そこで請求項１５に示すように、コンテントの必須排他関係を規定するコンテント表示情報を記憶するコンテント表示情報記憶部を備える構成にすることが考えられる。この場合、コンテント割当制御部は、コンテント表示情報記憶部に記憶されたコンテント表示情報に基づき、コンテントとエリアとの組合せを決定する。このようにすれば、コンテントの必須排他関係を含めてコンテントとエリアとの組合せが決定されるため、より適切な情報表示を行うことができる。
【手続補正１７】
【補正対象書類名】明細書
【補正対象項目名】００３３
【補正方法】変更
【補正の内容】
【００３３】
具体的には、請求項１６に示すように、コンテント表示情報は、所定の演算子にて示されるコンテントの必須排他関係を示す必須排他制約式とすることが考えられる。この場合、コンテント割当制御部は、必須排他制約式を満たすように、コンテントとエリアとの組合せを決定する。このようにすれば、コンテントの必須排他関係を含めてコンテントとエリアとの組合せを決定することができる。
【手続補正１８】
【補正対象書類名】明細書
【補正対象項目名】００３４
【補正方法】変更
【補正の内容】
【００３４】
また、コンテントと同様、エリアにおいても、あるエリアと別のエリアとを同時に使用したくないといった状況が考えられる。
そこで、請求項１７に示すように、エリアの必須排他関係を規定するエリア使用情報を記憶するためのエリア使用情報記憶部を備える構成にすることが考えられる。この場合、コンテント割当制御部は、エリア使用情報記憶部に記憶されたエリア使用情報に基づき、コンテントとエリアとの組合せを決定する。このようにすれば、エリアの必須排他関係を含めてエリアに対してコンテントが割り当てられるため、より適切な情報表示を行うことができる。
【手続補正１９】
【補正対象書類名】明細書
【補正対象項目名】００３５
【補正方法】変更
【補正の内容】
【００３５】
具体的には、請求項１８に示すように、エリア使用情報は、所定の演算子にて示されるエリアの必須排他関係を示す必須排他制約式とすることが考えられる。この場合、コンテント割当制御部は、必須排他制約式を満たすように、コンテントとエリアとの組合せを決定する。このようにすれば、エリアの必須排他関係を含めてコンテントとエリアとの組合せを決定することができる。
【手続補正２０】
【補正対象書類名】明細書
【補正対象項目名】００３６
【補正方法】変更
【補正の内容】
【００３６】
ところで、コンテントの数が増えると、エリアを分割して表示する必要が生じる。そこで、請求項１９に示すように、エリア管理部は、所定のエリアを、単一のエリアとして管理可能であると共に、当該エリアを分割した複数のエリアとしても管理可能とし、単一エリアの下位層に複数のエリアが位置する階層データ構造を有する構成とすることが考えられる。つまり、エリアを予め分割しておき、分割前のエリアを親とし、分割したエリアを子として管理するのである。この場合、コンテント割当制御部は、階層データ構造に基づき、コンテントとエリアとの組合せを決定する。このようにすれば、エリア同士の親子関係を容易に判断できるため、コンテントとエリアとの組合せを迅速に判断することができる。
【手続補正２１】
【補正対象書類名】明細書
【補正対象項目名】００３７
【補正方法】変更
【補正の内容】
【００３７】
なお、車両状況によって、コンテントのコンテント情報を変更するようにしてもよい。そこで、請求項２０に示すように、コンテント管理部は、車両状況に基づき、コンテント情報を変更可能であることとしてもよい。例えば、停車中と走行中とでコンテントに対応付けられるコンテント情報を変更するという具合である。このようにすれば、より適切なエリアとの組合せが決定される。
【手続補正２２】
【補正対象書類名】明細書
【補正対象項目名】００３８
【補正方法】変更
【補正の内容】
【００３８】
同様に、車両状況によって、エリアのエリア情報を変更するようにしてもよい。すなわち、請求項２１に示すように、エリア管理部は、車両状況に基づき、エリア情報を変更可能であることとしてもよい。例えば、停車中と走行中とでエリアに対応付けられるエリア情報を変更するという具合である。このようにすれば、より適切なエリアとの組合せが決定される。
【手続補正２３】
【補正対象書類名】明細書
【補正対象項目名】００３９
【補正方法】変更
【補正の内容】
【００３９】
また、請求項２２に示すように、コンテント管理部が、コンテント毎に表示対象とするか否かを管理するようにしてもよい。例えば、コンテント毎に表示／非表示の状態を示すフラグなどを対応付けるという具合である。このようなフラグは、例えば車両状況によってセットされたりリセットされたりすることが考えられる。また、ユーザ操作によってセットされたりリセットされたりすることが考えられる。さらにまた、コンテントからの表示要求の有無によってセットされたりリセットされたりすることが考えられる。この場合、コンテント割当制御部は、表示対象のコンテントからコンテントリストを作成する。このようにすれば、コンテントを表示対象とするか否かを簡単に管理することができる。
【手続補正２４】
【補正対象書類名】明細書
【補正対象項目名】００４０
【補正方法】変更
【補正の内容】
【００４０】
ところで、コンテントの種類によっては適切なエリアが予め定まる場合もあり得る。そこで、請求項２３に示すように、特定コンテントの特定エリアに対する割当情報を記憶する割当情報記憶部を備え、コンテント割当制御部は、割当情報記憶部に記憶された割当情報に基づき、コンテントとエリアとの組合せを決定することとしてもよい。割当情報は、予め設定されるものとしてもよいし、ユーザが任意に設定できるものとしてもよい。このようにすれば、より適切なエリアにコンテントを割り当てることができ、そのデザイン性を確保することができる。また、ユーザの所望するエリアに所望するコンテントを割り当てることができる。
【手続補正２５】
【補正対象書類名】明細書
【補正対象項目名】００４１
【補正方法】変更
【補正の内容】
【００４１】
なお、上述したコンテントは、請求項２４に示すように、コンテント管理部によって、車両内のネットワークを介して取得されることが考えられる。また、請求項２５に示すように、新たに接続された外部機器から取得可能な構成としてもよい。ここでいう外部機器には、例えばスマートフォンなどの携帯電話機や、ＰＤＡと呼ばれる情報端末などが含まれる。つまり、コンテントにコンテント情報を対応付けて管理すれば、コンテントの種類によらず同一のアルゴリズムでコンテントとエリアとの組合せを決定することができる。
【手続補正２６】
【補正対象書類名】明細書
【補正対象項目名】００４２
【補正方法】変更
【補正の内容】
【００４２】
また、エリアについても同様に、エリアにエリア情報を対応付けて管理すれば、表示装置の種類によらず、同一のアルゴリズムでコンテントとエリアとの組合せを決定することができる。そこで、請求項２６に示すように、エリア管理部は、複数台の表示装置に対しエリアを管理することが考えられる。この場合、請求項２７に示すように、エリア管理部は、表示装置の一部が着脱されると、管理するエリアを更新することが考えられる。例えば、表示装置がエリア情報を有する構成ならば、着脱される表示装置からのエリア情報によって、管理するエリアのエリア情報を更新するという具合である。